(57)【要約】【課題】フラットベットに置かれ静止した状態の原稿に、読み取りの完了を示す所定のマークを押印する。【解決手段】フラットベットに置かれた原稿の裏面に所定のマークを押印するスタンプ機構を設けたプラテンカバーと、原稿の読み取りが完了したあと、スタンプ機構を作動させて、原稿の裏面に所定のマークを押印させる制御部とを備えた。【選択図】図１
2009117885.tif 000002
【特許請求の範囲】
【請求項１】
フラットベットに置かれた原稿の裏面に所定のマークを押印するスタンプ機構を設けたプラテンカバーと、
前記原稿の読み取りが完了したあと、前記スタンプ機構を作動させて、前記原稿の裏面に前記所定のマークを押印させる制御部とを備えた画像読取装置。
【請求項２】
請求項１において、
前記プラテンカバーの開閉状態を検知する検知部を更に備え、
前記制御部は、前記プラテンカバーが開状態であれば、前記スタンプ機構の作動を禁止する画像読取装置。
【発明の詳細な説明】
【技術分野】
【０００１】
本発明は、フラットベットとプラテンカバーを備えた画像読取装置の改良に関する。
【背景技術】
【０００２】
原稿の読み取り、あるいは読み取り後の送信が成功したことを示すために、その原稿の裏面に所定のマークを押印する機能を備えた画像読取装置が知られている。
そのような従来技術の例として、次の特許文献１には、ＡＤＦ（オートドキュメントフィーダ）によって原稿を搬送しながら読み取り、済スタンプを押印することが記載されている。また、特許文献２には、ＡＤＦによって原稿をＦＢＳ（フラットベットスキャナ）部に搬送したあと静止させて読み取り、更に搬送する途中で済スタンプを押印することが記載されている。
【特許文献１】特開平０９−２０５５０９号公報
【特許文献２】特開平０７−３２１９８１号公報
【発明の開示】
【発明が解決しようとする課題】
【０００３】
しかしながら、特許文献１あるいは特許文献２に記載されている構成は、ＡＤＦを前提としているので、ＡＤＦを備えていない画像読取装置には適用できない。また、ＡＤＦを備えた画像読取装置であっても、ＦＢＳ部に手動で原稿をセットし、読み取り終了後に手動で取り除くという利用形態では、済みマークを押印できないという問題があった。
本発明は、そのような問題の解決を課題としている。
【課題を解決するための手段】
【０００４】
本発明の画像読取装置は、フラットベットに置かれた原稿の裏面に所定のマークを押印するスタンプ機構を設けたプラテンカバーと、原稿の読み取りが完了したあと、スタンプ機構を作動させて、原稿の裏面に、済みマークとして所定のマークを押印させる制御部とを備えている。
【０００５】
また、プラテンカバーの開閉状態を検知する検知部を更に備え、制御部は、プラテンカバーが開状態であれば、スタンプ機構の作動を禁止する構成としてもよい。
【発明の効果】
【０００６】
本発明の画像読取装置は、プラテンカバーに、原稿の裏面に所定のマークを押印するスタンプ機構を設けているので、ＡＤＦを備えていなくても、原稿の裏面にマークを押印することができる。また、本発明を、ＡＤＦを備えた画像読取装置に適用すれば、ＦＢＳ部に手動で原稿をセットし、読み取り終了後に手動で原稿を取り除くという利用形態でも、原稿の裏面にマークを押印することができる。
【０００７】
そして、プラテンカバーの開閉状態を検知する検知部を更に備え、プラテンカバーが開状態であれば、スタンプ機構の作動を禁止する構成では、厚みのあるブック原稿等を、プラテンカバーを開状態にして読み取ったときに、ブック原稿や、ブック原稿を押さえている操作者の手を汚すことがない。
【発明を実施するための最良の形態】
【０００８】
以下、本発明を図に従って説明する。
図１は、本発明の実施例である画像読取装置１の簡略化した外観斜視図である。ここに、例としてスキャナ装置、プリンタ装置、コピー装置とを兼用するオフィス用複合機を想定しているが、本発明はこれに限定されず、例えば、ファクシミリ複合機、スキャナ専用装置、コピー専用装置等にも適用可能である。
【０００９】
画像読取装置１には、原稿２を読み取る読取部１０２と、記録紙に画像を印刷する印刷部１０３と、パーソナルコンピュータ等の通信装置と通信する通信部１０１と、ＣＰＵ（セントラルプロセッシングユニット）等で構成された制御部１０６等が内蔵されている。そして、上面には、フラットベット１１がプラテンガラスによって構成されており、更に、原稿２の読み取り時にフラットベット１１を遮光するためのプラテンカバー１２がヒンジ１４を介して開閉自在に取り付けられている。ヒンジ１４には、プラテンカバー１２の開閉状態を検知する検知部１７が内蔵されている。本体の前面には、液晶パネル等からなる表示窓と、各種操作キーとを有した操作パネル１３が配置されている。本体の向かって右側の側面には、記録紙挿入部１６が設けられている。なお、特に本発明に関連しないが、プラテンカバー１２には、ＡＤＦを備えてもよい。
【００１０】
そして、本発明の特徴的な要素として、プラテンカバー１２の原稿押圧部には、原稿２の裏面に所定のマーク４を押印するスタンプ機構１５が設けられている。このマーク４は、読み取りの完了した原稿２を操作者が後ほど識別するためのもので、マーク４の図案に制限はないが、例えば、○印や「済」としてもよい。
【００１１】
図２は、裏面にマーク４が押印された原稿２の例である。マーク４は、原稿２をセットする基準位置５の近傍に押印されるようにしておけば、原稿サイズが異なっても、マーク４を確実に押印することができる。
【００１２】
図３は、スタンプ機構１５の構造を例示するためのプラテンカバー１２の部分的な縦断面図である。図の状態では、フラットベッド１１上に原稿２が置かれ、プラテンカバー１２は閉状態である。
【００１３】
スタンプ機構１５は、スタンプ面１５１を設けたピストン１５２と、そのピストンを収容するシリンダ１５３からなり、白色樹脂１２２およびクッション材１２３を貫通した孔に連続して形成されたカバー基材樹脂１２１の縦穴部分に収容されている。
ピストン１５２の下部には、インクを透過する多孔質ゴム材等からなり原稿２との接触面にマーク４の印影が浮き彫りされたスタンプ面１５１と、そのスタンプ面１５１にインクを供給するインクタンク１５４とが設けられている。ピストン１５２の中間部と上部はシリンダ１５３に収容されている。ピストン１５２の中間部に形成されたフランジは、シリンダ１５３の下部に配置された弾性バネ１５５から上方に向かう復元力を受けている。ピストン１５２の上部には永久磁石１５６が固定され、シリンダ１５３の内部には、永久磁石１５６を取り囲むように導電コイル１５７が配置されている。永久磁石１５６と導電コイル１５７は、ピストン１５２を下方に移動させるアクチュエータを構成している。
導電コイル１５７に制御電流を通じさせれば、永久磁石１５６は磁気作用によって下方に向かう力を受けるので、ピストン１５２は弾性バネ１５５を圧縮しながら下方に移動する。そして、所定の距離だけ下方に移動すれば、ピストン下部のスタンプ面１５１が原稿２に接触して、マーク４が押印される。その後、制御電流を遮断すれば、弾性バネ１５５の復元力によって、ピストン１５２は上方に復帰する。
【００１４】
なお、スタンプ機構１５を収容するプラテンカバー１２の縦穴開口部分には、装置の輸送時あるいはスタンプ機構１５を使用しない場合に、スタンプ面１５１を保護するためのカバーを着脱自在に取り付けてもよい。また、スタンプ機構１５には、インクジェット方式等の小型の印刷装置を採用してもよい。
【００１５】
図４は、画像読取装置の概略ブロック図である。
画像読取装置は、ネットワークを通じて通信装置と通信する通信部１０１と、光源ランプおよび撮影部で構成された読取部１０２と、例えばインクジェット方式で記録紙に画像を電子写真印刷する印刷部１０３と、画像処理回路１０４と、読み取った画像データあるいは印刷すべき画像データを蓄積する画像メモリ１０５と、液晶パネル等で構成された表示窓、テンキー、機能設定キー、スタートキー等の各種操作キーで構成された操作パネル１３と、プラテンカバー１２の開閉状態を検知するスイッチ等で構成された検知部１７と、プラテンカバー１２に設けられたスタンプ機構１５と、各部を制御するＣＰＵ等によって構成された制御部１０６とを備えている。制御部１０６は、原稿２の読み取りが完了したあと、スタンプ機構１５を作動させて、原稿２の裏面にマーク４を押印させる機能を備えている。
【００１６】
画像読取装置１の基本動作は、従来の装置のオフィス用複合機と基本的に同様である。すなわち、スキャナ装置としては、操作パネル１３の操作に応じて、フラットベット１１に置かれた原稿２を読み取り、その画像データをネットワークを通じてパーソナルコンピュータ等の通信装置に伝送する。また、プリンタ装置としては、ネットワークを通じて通信装置から印刷指令と共に画像データを受け付け、受け付けた画像データを記録紙に印刷して出力し、コピー装置としては、操作パネル１３の操作に応じて、フラットベット１１に置かれた原稿２を読み取り、読み取った画像データを記録紙に印刷して出力する。
【００１７】
そして、本発明の特徴的として、操作パネル１３の操作、あるいは通信装置からの指令によって、読み取りが完了した原稿２の裏面にマーク４を押印するスタンプモードを設定できる。なお、ブック原稿にマーク４を押印することがないように、プラテンカバー１２の開閉状態を検知し、プラテンカバー１２が閉状態であって、かつ原稿２の読み取りが完了した時点で原稿２の裏面にマーク４を押印することが望ましい。すなわち、プラテンカバー１２が開状態であれば、制御部１０６は、スタンプモードの設定に関わらず、スタンプ機構１５の作動を禁止する
【００１８】
なお、ＡＤＦを備えた画像読取装置１では、ＡＤＦによって原稿２をフラットベット１１とプラテンカバー１２との間に搬送したあと静止させて読み取り、静止させた状態で原稿２の裏面にマーク４を押印してから、更に搬送して排出する構成としてもよい。
【００１９】
図５は、画像読取装置１をスキャナ装置として使用する場合の、本発明に関連した処理手順を説明するフローチャートである。
この手順では、まず、操作パネル１３で機能設定を受け付ける。設定項目には、例えば、解像度の設定、カラーまたはモノトーンの選択、原稿２のサイズ選択、スタンプモードの設定等がある。設定された内容は、対応したメモリ、レジスタ等に保存して、原稿２を読み取る際に参照できるようにする（ステップ１０１〜１０３）。
次いで、操作パネル１３で読取指令の操作を受け付ける。この時点までに、操作者は、フラットベット１１の所定位置に原稿２をセットしておく必要がある。なお、操作者はフラットベット１１に原稿２をセットしてからプラテンカバー１２を閉じるので、その閉じる動作を検知して、光源ランプをごく短時間点灯させて原稿２の一部を読み取ることにより、原稿サイズの自動設定を行ってもよい。（ステップ１０４）。
読取指令を受け付けた後、プラテンカバー１２の開閉状態を検知する。その結果、閉状態であれば、原稿２の読み取りを実行し、このときスタンプモードが設定されていれば、スタンプ機構１５を作動させて原稿２の裏面にマーク４を押印する。一方、スタンプモードが設定されていない場合は、原稿２の裏面にマーク４を押印することはしない（ステップ１０６〜１０８）。
プラテンカバー１２の開閉状態を検知した結果、開状態であれば、原稿２の読み取りを実行するが、スタンプモードの設定によらず、原稿２の裏面にマーク４を押印することはしない（ステップ１０９）。
その後、読み取った原稿２の画像データを、ネットワークを通じて通信装置に電送する（ステップ１１０）。
【００２０】
なお、画像読取装置１をコピー装置として使用する場合も、原稿２の裏面へのマーク４の押印に関する動作は共通である。
【００２１】
また、原稿２の裏面へのマークの押印を実行するタイミングは、読み取り完了後が望ましいが、ファクシミリ装置の場合は、ファクシミリ送信の完了時、あるいは電子メール送信の完了時としてもよく、スキャナ装置の場合は、読み取った原稿２の画像データを通信装置に伝送し終えたときとしてもよい。
【図面の簡単な説明】
【００２２】
【図１】本発明の実施例である画像読取装置の簡略化した外観斜視図である。
【図２】裏面にマークが押印された原稿の例である。
【図３】スタンプ機構を設けたプラテンカバーの部分的な縦断面図である。
【図４】画像読取装置の概略ブロック図である。
【図５】本発明に関連した処理手順を説明するフローチャートである。
【符号の説明】
【００２３】
１      画像読取装置
２      原稿
４      マーク
１１    フラットベット
１２    プラテンカバー
１５    マーク
１７    検知部
１０６  制御部
【図１】
2009117885.tif 000003
【図２】
2009117885.tif 000004
【図３】
2009117885.tif 000005
【図４】
2009117885.tif 000006
【図５】
2009117885.tif 000007